(57)【要約】【課題】  装置の稼動状況を簡易な構成で検知することができる装置稼働状況検知システム、装置位置情報発信システムおよび装置稼働状況検知ユニットを提供する。【解決手段】  装置稼働状況検知システムは、送風部１２を有する装置１０と、送風部１２から送風された空気を受け、変位（回転または揺動）する空気受け部２０と、空気受け部２０の動きを検知するための検知部３０とを含む。検知部３０は、発光素子３２と受光素子３４とを含む。空気受け部２０が回転または揺動すると、発光素子３２から発せられた光を受光素子３４が受光する受光量が変化する。この変化に基づき、装置が稼働しているかどうか検知する。【選択図】図１
2008283653.tif 000002
【特許請求の範囲】
【請求項１】
送風部を有する装置と、
前記送風部から送風された空気を受け、変位する空気受け部と、
前記空気受け部の動きを検知するための検知部と、を含む、装置稼働状況検知システム。
【請求項２】
請求項１において、
前記検知部は、光を発する発光素子と、前記発光素子からの光を受ける受光素子とを含み、
前記空気受け部は、前記発光素子と前記受光素子との間に設けられている、装置稼働状況検知システム。
【請求項３】
請求項２において、
前記空気受け部は、揺動板であり、
前記空気受け部が前記送風部から送風された空気を受けると、前記空気受け部が前記発光素子からの光を遮蔽する、装置稼働状況検知システム。
【請求項４】
請求項２において、
前記空気受け部は、プロペラ状であり、
前記空気受け部が前記送風部から送風された空気を受けると、前記空気受け部が前記発光素子からの光を断続的に遮蔽する、装置稼働状況検知システム。
【請求項５】
請求項１において、
前記検知部は、前記空気受け部に対して光を発する発光素子と、前記空気受け部で反射した前記発光素子からの光を受ける受光素子とを含む、装置稼働状況検知システム。
【請求項６】
請求項１〜５のいずれかに記載の装置稼働状況検知システムと、
前記装置稼働状況検知システムが装置の稼働を検知した場合に、位置情報を発信する位置情報発信部とを含む、装置位置情報発信システム。
【請求項７】
送風部を有する装置の稼働状況を検知するための装置稼働状況検知ユニットであって、
前記送風部から送風された空気を受け、回転または揺動する空気受け部と、
前記空気受け部の動きを検知するための検知部と、を含む、装置稼働状況検知ユニット。
【請求項８】
請求項７において、
前記検知部は、前記空気受け部に対して光を発する発光素子と、前記発光素子からの光を受ける受光素子とを含み、
前記空気受け部は、前記発光素子と前記受光素子との間に設けられている、装置稼働状況検知ユニット。
【請求項９】
請求項８において、
前記空気受け部は、揺動板であり、
前記空気受け部が前記送風部から送風された空気を受けると、前記空気受け部が前記発光素子からの光を遮蔽する、装置稼働状況検知ユニット。
【請求項１０】
請求項８において、
前記空気受け部は、プロペラ状であり、
前記空気受け部が前記送風部から送風された空気を受けると、前記空気受け部が前記発光素子からの光を断続的に遮蔽する、装置稼働状況検知ユニット。
【請求項１１】
請求項７において、
前記検知部は、前記空気受け部に対して光を発する発光素子と、前記空気受け部で反射した前記発光素子からの光を受ける受光素子とを含む、装置稼働状況検知ユニット。
【発明の詳細な説明】
【技術分野】  本発明は、装置の稼働状況を検知するための装置稼働状況検知システム、装置位置情報発信システムおよび装置稼働状況検知ユニットに関する。
【背景技術】  近年、携帯端末の基地局や、無線ＬＡＮのアクセスポイント、ＧＰＳを用いて装置の位置を検出するシステムが提案されている。この装置から発信される信号に基づき位置を検出するのが一般的である。たとえば、特許文献１には、装置稼動状況をＰＨＳを利用して装置の稼動状況の情報収集を行う技術が開示されている。
【特許文献１】  特開２００１−７７９２８号公報
【発明の開示】
【発明が解決しようとする課題】  本発明の目的は、装置の稼動状況を簡易な構成で検知することができる装置稼働状況検知システム、装置位置情報発信システムおよび装置稼働状況検知ユニットを提供することにある。
【課題を解決するための手段】  １．装置稼働状況検知システム
本発明の装置稼働状況検知システムは、
送風部を有する装置と、
前記送風部から送風された空気を受け、変位する空気受け部と、
前記空気受け部の動きを検知するための検知部と、を含む。
本発明によれば、送風部から送風された空気を空気受け部で受けることで、空気受け部の動きの変化を検知して、装置が稼働しているかどうか検知することができる。したがって、装置の稼働状況を簡易な構成で検知することができる。
本発明において、前記検知部は、光を発する発光素子と、前記発光素子からの光を受ける受光素子とを含み、前記空気受け部は、前記発光素子と前記受光素子との間に設けられていることができる。
これによれば、空気受け部が発光素子と受光素子との間に設けられていることで、空気受け部の変化を容易に検知することができる。
本発明において、前記空気受け部は、揺動板であり、前記空気受け部が前記送風部から送風された空気を受けると、前記空気受け部が前記発光素子からの光を遮蔽することとすることができる。これによれば、光が遮蔽されていれば空気受け部が変化したことを意味することから、空気受け部の変化をより簡易な構成で検知することができる。
本発明において、前記空気受け部は、プロペラ状であり、前記空気受け部が前記送風部から送風された空気を受けると、前記空気受け部が前記発光素子からの光を断続的に遮蔽することができる。これによれば、空気受け部としてのプロペラが回転することで、光が断続的に遮蔽されることになるため、空気受け部の変化をより簡易な構成で検知することができる。
本発明において、前記検知部は、前記空気受け部に対して光を発する発光素子と、前記空気受け部で反射した前記発光素子からの光を受ける受光素子とを含むことができる。これによれば、反射した光を検知し、その受光した光量の変化を検知することで、空気受け部の変化を検知することができる。
２．装置位置情報発信システム
本発明の装置位置情報発信システムは、本発明の装置稼働状況検知システムと、前記装置稼働状況検知システムが装置の稼働を検知した場合に、位置情報を発信する位置情報発信部とを含む。
本発明によれば、本発明の装置稼働状況検知システムを含むことで、簡易な構成の装置位置情報発信システムを実現することができる。
３．装置稼働状況検知ユニット
本発明の装置稼働状況検知ユニットは、
送風部を有する装置の稼働状況を検知するための装置稼働状況検知ユニットであって、
前記送風部から送風された空気を受け、回転または揺動する空気受け部と、
前記空気受け部の動きを検知するための検知部と、を含む。
本発明において、前記検知部は、前記空気受け部に対して光を発する発光素子と、前記発光素子からの光を受ける受光素子とを含み、前記空気受け部は、前記発光素子と前記受光素子との間に設けられていることができる。
本発明において、前記空気受け部は、揺動板であり、前記空気受け部が前記送風部から送風された空気を受けると、前記空気受け部が前記発光素子からの光を遮蔽することができる。
本発明において、前記空気受け部は、プロペラ状であり、前記空気受け部が前記送風部から送風された空気を受けると、前記空気受け部が前記発光素子からの光を断続的に遮蔽することができる。
本発明において、前記検知部は、前記空気受け部に対して光を発する発光素子と、前記空気受け部で反射した前記発光素子からの光を受ける受光素子とを含むことができる。
以上の本発明の装置稼働状況検知ユニットによれば、本発明の装置稼働状況検知システムに好適である。
【発明を実施するための最良の形態】  以下、本発明の好適な実施の形態について詳細に説明する。
１．装置位置情報発信システム
図１は、装置位置情報発信システムの構成例を示す。
装置位置情報発信システム２００は、装置稼働状況検知システム１００と、位置情報発信部１１０とを含む。位置情報発信部１１０は、装置稼働状況検知システム１００が装置の稼働を検知した場合に、位置情報を発信する。位置情報発信部１１０の具体例としては、携帯通信端末、ＰＨＳ（パーソナル・ハンディーフォン・システム）端末、無線ＬＡＮ端末、ＧＰＳ（グローバル・ポジショニング・システム）端末などが挙げられる。
２．装置稼動状況検知システム
装置稼働状況検知システム１００は、送風部１２を有する装置１０と、空気受け部２０と、検知部３０とを含む。空気受け部２０と検知部３０とで、装置稼働状況検知ユニット３００が構成される。
送風部１２を有する装置１０において、その送風部１２は、稼働状態のときは、送風部１２により、装置１０の内部の熱を放熱する。送風部１２は、たとえば放熱ファンからなることができる。
空気受け部２０は、送風部１２から送風された空気を受け、回転または揺動する。空気受け部２０は、空気を受け回転または揺動するものであれば特に限定されず、揺動板であっても、プロペラ状であってもよい。
検知部３０は、空気受け部２０の動きを検知するためのものである。検知部３０は発光素子３２と受光素子３４とを含む。発光素子３２は、たとえば発光ダイオードからなることができる。受光素子３４は、たとえばフォトダイオードやフォトトランジスタからなることができる。検知部３０の構成例として、たとえば次の２つの態様がある。
第１の態様としては、光を発する発光素子３２と、発光素子３２からの光を受ける受光素子３４とを含み、空気受け部２０が発光素子３２と受光素子３４との間に設けられている態様である。
第１の態様では、図２に示すように、たとえば、空気受け部２０が送風部１２から送風された空気を受けると、空気受け部２０が発光素子３２からの光を遮蔽するようにすることができる。発光素子３２からの光を遮蔽することで、受光素子３４が光を受光しないこととなり、その光の受光状態を把握することで、空気受け部２０が空気を受けているかどうか知ることができる。空気受け部２０が空気を受けていれば、送風部１２により送風されていることになるため、装置１０が稼働しているということがわかる。この場合、空気受け部２０は、たとえば揺動板とすることができる。
また、第１の態様において、図３に示すように、空気受け部２０が、プロペラ状であり、空気受け部２０が送風部１０から送風された空気を受けると、空気受け部２０が発光素子３２からの光を断続的に遮蔽するようにしてもよい。光を断続的に遮蔽することで、その遮蔽状態を受光素子３４で検出することで、空気受け部２０が空気を受けているかどうかがわかる。したがって、装置１０の稼働状況を知ることができる。
第２の態様としては、検知部３０は、空気受け部２０に対して光を発する発光素子３２と、空気受け部２０で反射した発光素子３２からの光を受ける受光素子３４とを含む。この第２の態様によれば、空気受け部２０で反射した光を受光素子３４で受光することで、その受光量を通じて、空気受け部２０の空気の受け度合いを知ることができる。したがって、装置１０の稼働状況を知ることができる。
以上のように本実施の形態によれば、空気受け部２０と発光素子３２と受光素子３４とにより、装置１０の稼働状況を把握するため、簡易な構成で装置１０の稼働状況を知ることができる。また、送風部１２の送風がされているかどうかを判断基準として、装置１２が稼働しているかどうかを把握しているため、装置１０において特別な構成を必要としないという利点もある。
図５には、検知部の等価回路図の一例が示されている。この等価回路の例では、空気受け部２０が空気（風）を受けた場合には、出力がＯＮとなり、風がない場合には出力はＯＦＦとなる。
本実施の形態は、本発明の範囲内において種々の変形が可能である。
【図面の簡単な説明】
【図１】装置位置情報発信システムの構成例を示す図である。
【図２】装置稼働状況検知ユニットの一例を模式的に示す図である。
【図３】装置稼働状況検知ユニットの他の例を模式的に示す図である。
【図４】装置稼働状況検知ユニットの他の例を模式的に示す図である。
【図５】検知部の等価回路図の一例を示す図である。
【符号の説明】
１０  送風部を有する装置
１２  送風部
２０  空気受け部
３０  検知部
３２  発光素子
３４  受光素子
１００  装置稼働状況検知システム
１１０  位置情報発信部
２００  装置位置情報発信システム
３００  装置稼働状況検知ユニット
【図１】
2008283653.tif 000003
【図２】
2008283653.tif 000004
【図３】
2008283653.tif 000005
【図４】
2008283653.tif 000006
【図５】
2008283653.tif 000007